(57)【要約】【課題】物品収納部を構成するフラップや蓋板がケーキ等の収納物に接触して破損させることのない、物品収納部を備えた包装用箱を提供する。【解決手段】天板４１の縁部と、底板２１の縁部と、天板４１と底板２１に連設される一対の第１側板３１、５１の縁部であって対向する第１縁部と第２縁部と、で構成される開口部１５を有する箱本体１４と、第１縁部に連設され、第２縁部よりも箱本体１４の内側に折り込まれる第１フラップ５２と、底板２１の縁部に連設され、開口部１５を閉塞するとともに、第１フラップ５２との間に物品収納部１２を構成する蓋板２３と、を備える包装用箱１１とする。【選択図】図４
0003165021.tif 000002
【実用新案登録請求の範囲】
【請求項１】
天板の縁部と、底板の縁部と、前記天板と前記底板に連設される一対の第１側板の縁部であって対向する第１縁部と第２縁部と、で構成される開口部を有する箱本体と、
前記第１縁部に連設され、前記第２縁部よりも前記箱本体の内側に折り込まれる第１フラップと、
前記底板の縁部に連設され、前記開口部を閉塞するとともに、前記第１フラップとの間に物品収納部を構成する蓋板と、
を備える包装用箱。
【請求項２】
請求項１に記載の包装用箱であって、
前記第２縁部に連設され、少なくとも前記開口部の一部を覆う第２フラップを有し、
第２フラップは、前記蓋板と共に前記第１フラップとの間に物品収納部を構成することを特徴とする包装用箱。
【請求項３】
請求項１又は２のいずれか１項に記載の包装用箱であって、
前記天板の縁部に連設され、前記開口部の一部を覆う第３フラップを有し、
前記第３フラップは、前記蓋板と共に前記第１フラップとの間に物品収納部を構成することを特徴とする包装用箱。
【請求項４】
請求項１から３のいずれか１項に記載の包装用箱であって、
前記第１フラップは、切り込みにより形成される第４フラップを有し、
前記第４フラップは、前記箱本体の内側に折り込まれる第１フラップに対して前記箱本体の外側に向けて切り起こされ、前記蓋板と共に前記第１フラップとの間に物品収納部を構成することを特徴とする包装用箱。
【請求項５】
請求項１から４のいずれか１項に記載の包装用箱であって、
前記各フラップ及び前記蓋板から選択される少なくとも２つを係合する係合手段を設けたことを特徴とする包装用箱。
【請求項６】
請求項１から５のいずれか１項に記載の包装用箱であって、
前記第１フラップに通気孔を設けたことを特徴とする包装用箱。
【考案の詳細な説明】
【技術分野】
【０００１】
本考案は、包装用箱に関し、より詳細には、ケーキ等を収納する包装用箱内に保冷体やキャンドル、手拭き、ケーキカッター等の物品を収納するための物品収納部を備えた包装用箱に関する。
【背景技術】
【０００２】
従来、例えばケーキ等を収納する包装用箱にあっては、ケーキ等を低温に保つため、アイスパック（水や保冷剤をビニールシート等で密封包装したパック状のものを凍らせたもの）やドライアイスなどの保冷体をケーキ等と一緒に包装用箱に収納することが行われている。また、保冷体の他にキャンドル、手拭き、ケーキカッター等を包装用箱に収納する場合もある。これら保冷体等の物品を包装用箱内に収納保持するものとして、例えば、包装用箱の天板又は底板の端縁に内蓋を連設し、対向する端縁に外蓋を連設し、これらを折り込んで物品収納空間を構成したものが知られている（例えば、特許文献１参照。）。
【先行技術文献】
【特許文献】
【０００３】
【特許文献１】特開２００８−２０７８１９号公報
【考案の概要】
【考案が解決しようとする課題】
【０００４】
上記特許文献１に記載の包装用箱では、構造上、内蓋の形状は開口部と略同一若しくはそれより大きい。このような大きな内蓋を天板の端縁に設けた場合、箱本体に収納されたケーキ等の収納物を取り出すには、外蓋を開けて物品収納空間内の物品を取り出した後、内蓋を上方に持ち上げ、この状態を保ちながら開口部から収納物を取り出す必要がある。しかしながら、上方に持ち上げた内蓋が不用意に下方に垂れる場合があり、ケーキ等の収納物に接触して破損させるという問題がある。
【０００５】
また、底板の端縁に内蓋を設けた場合であっても、天板の端縁に設けられる外蓋の形状は開口部と略同一にしなければならない。このため、外蓋を開けて物品収納空間内の物品を取り出した後、内蓋を開けて開口部から収納物を取り出す際に、外蓋を上方に持ち上げ、この状態を保ちながら開口部から収納物を取り出す必要がある。しかしながら、上方に持ち上げた外蓋が不用意に下方に垂れる場合があり、ケーキ等の収納物に接触して破損させるという問題がある。
【０００６】
本考案は前記課題に鑑みてなされたものである。本考案の課題は、物品収納部を構成するフラップや蓋板がケーキ等の収納物に接触して破損させることのない、物品収納部を備えた包装用箱を提供することである。
【課題を解決するための手段】
【０００７】
本考案の解決しようとする課題は以上の如くであり、次にこの課題を解決するための手段を説明する。
【０００８】
即ち、第１の考案では、天板の縁部と、底板の縁部と、前記天板と前記底板に連設される一対の第１側板の縁部であって対向する第１縁部と第２縁部と、で構成される開口部を有する箱本体と、前記第１縁部に連設され、前記第２縁部よりも前記箱本体の内側に折り込まれる第１フラップと、前記底板の縁部に連設され、前記開口部を閉塞するとともに、前記第１フラップとの間に物品収納部を構成する蓋板と、を備える包装用箱とした。
【０００９】
第２の考案では、第１の考案であって、前記第２縁部に連設され、少なくとも前記開口部の一部を覆う第２フラップを有し、第２フラップは、前記蓋板と共に前記第１フラップとの間に物品収納部を構成することとした。
【００１０】
第３の考案では、第１又は第２のいずれかの考案であって、前記天板の縁部に連設され、前記開口部の一部を覆う第３フラップを有し、前記第３フラップは、前記蓋板と共に前記第１フラップとの間に物品収納部を構成することとした。
【００１１】
第４の考案では、第１から第３のいずれかの考案であって、前記第１フラップは、切り込みにより形成される第４フラップを有し、前記第４フラップは、前記箱本体の内側に折り込まれる第１フラップに対して前記箱本体の外側に向けて切り起こされ、前記蓋板と共に前記第１フラップとの間に物品収納部を構成することとした。
【００１２】
第５の考案では、第１から第４のいずれかの考案であって、前記各フラップ及び前記蓋板から選択される少なくとも２つを係合する係合手段を設けることとした。
【００１３】
第６の考案では、第１から第５のいずれかの考案であって、前記第１フラップに通気孔を設けることとした。
【考案の効果】
【００１４】
本考案の効果として、以下に示すような効果を奏する。
【００１５】
第１の考案によれば、物品収納部を構成する第１フラップを第１側板の第１縁部に設けたので、物品収納部から物品を取り出し、更に箱本体からケーキ等の収納物を取り出す際、第１フラップが下方に垂れることがない。また、蓋板を底板の縁部に連設しているため、蓋板が下方に垂れることもない。このため、箱本体からケーキ等の収納物を取り出す際、物品収納部を構成する第１フラップや蓋板がケーキ等の収納物に接触して破損させることを防止できる。
【００１６】
第２の考案によれば、第１側板の第２縁部に第２フラップを設けたため、開口部と蓋板の間にある物品収納部の隙間を減少させることができる。このため、物品収納部の隙間から物品が不用意に脱落することを防止できる。
【００１７】
第３の考案によれば、天板の縁部に第３フラップを設けたため、開口部と蓋板の間にある物品収納部の隙間を減少させることができる。このため、物品収納部の隙間から物品が不用意に脱落することを防止できる。また、第３フラップは開口部の一部を覆う大きさとし、開口部よりも小さくしたため、箱本体からケーキ等の収納物を取り出す際、第３フラップがケーキ等の収納物に接触し難い。このため、ケーキ等の収納物の破損を防止できる。
【００１８】
第４の考案によれば、第１フラップに第４フラップを設けたので、第４フラップが物品収納部に収納された物品を支持することができる。このため、蓋板を開放した際に、物品収納部に収納された物品が不用意に脱落することを防止できる。
【００１９】
第５の考案によれば、各フラップ及び蓋板から選択される少なくとも２つを係合する係合手段を設けたため、物品収納部が不用意に開放されることがない。このため、物品収納部に収納された物品が不用意に脱落することを防止できる。
【００２０】
第６の考案によれば、第１フラップに通気孔を設けたため、物品収納部に保冷材を収納した場合に、箱本体内部に冷気を行き渡らせやすくすることができる。
【図面の簡単な説明】
【００２１】
【図１】実施例１に係る包装用箱１１の展開形成体１３の平面図。
【図２】包装用箱１１を折り畳んだ状態を示す平面図。
【図３】包装用箱１１の箱本体１４を組み立てた状態の斜視図。
【図４】第１フラップ５２を折り込み、物品収納部１２に物品８１を収納した状態を示す斜視図。
【図５】第２フラップ３２を折り込み、第１フラップ５２と係合させた状態を示す斜視図。
【図６】第３フラップ４２を折り畳み、蓋板２３を閉じた状態を示す斜視図。
【図７】ケーキ等の収納物Ｃを取り出す状態を示す斜視図。
【考案を実施するための形態】
【００２２】
次に、考案の実施の形態について図を用いて説明する。
【実施例１】
【００２３】
本考案の実施例１に係る包装用箱について、図１から図７を用いて説明する。
【００２４】
実施例１に係る包装用箱１１は、図１に示す箱展開形成体１３を組み立てて形成されるものであり、ケーキ等の収納物Ｃを包装し、持ち帰り等に用いる包装用箱である（図７参照。）。また、本実施例の包装用箱１１は、保冷体やキャンドル、手拭き、ケーキカッター等の物品８１を収納するための物品収納部１２を備えている（図４参照。）。包装用箱１１は、板紙、段ボールなどの厚紙で形成されている。厚紙の他、樹脂素材を用いた板状部材等で形成してもよい。
【００２５】
本実施例に係る包装用箱１１は、図１に示すように、底板２１、第１側板としての側板３１、天板４１、及び第１側板としての側板５１が順次連設されており、図３に示すように箱本体１４が筒状に形成され、開口部が蓋板２３、蓋板２４によって閉塞される、いわゆるサック形式の包装用箱１１である。包装用箱１１は折り畳まれた半完成状態でケーキ店等に納品され（図２参照。）、ケーキ等の収納物Ｃを収納する前に最終の組み立てが行われて完成状態の包装用箱１１とされる。
【００２６】
以下では、説明の容易のため、開口部が形成されている側を前後方向とする。図１の図示右側、図２の図示下側、図３の図示右下方をそれぞれ前側とし、その反対側を後側とする。上下方向は、包装用箱１１を組み立てて、底板２１を下にして載置した状態で、底板２１側を下方とする。前後方向に対して水平方向に直交する方向を左右方向とする。図３において側板５１が設けられている側を右側、図３において側板３１が設けられている側を左側とする。尚、本実施例の包装用箱１１の平面形状は長方形であるが、正方形等の他の形状に変更してもよい。
【００２７】
図１に示す箱展開形成体１３に従って包装用箱１１を構成する部分を説明する。図１は、包装用箱１１の外側となる面を紙面手前側として示している。まず底板２１は、包装用箱１１の底部を構成する部分である。底板２１の左側となる縁部（図示下側の縁部）には、一対の第１側板のうちの一方を構成する側板３１が側板折目線６１を介して連設されている。底板２１の前側となる縁部（図示右側の縁部）は、前側の開口部１５を構成するものであり、前側の開口部１５を閉塞する蓋板２３が蓋板折目線６３を介して連設されている。蓋板２３の自由端部には、前差込片４４が形成されている。
【００２８】
底板２１の後側となる縁部（図示左側の縁部）は、後側の開口部を構成するものであり、後側の開口部を閉塞する蓋板２４が蓋板折目線６４を介して連設されている。蓋板２４の自由端部には、後差込片４５が形成されている。底板２１の右側となる縁部（図示上側の縁部）には、取付面２２が取付面折目線６２を介して連設されている。取付面２２は、側板５１に固定されて、底板２１を側板５１に対して固定する部材である。
【００２９】
側板３１の上側となる縁部（図示下側の縁部）には、包装用箱１１の天部を構成する天板４１が天板折目線６５を介して連設されている。側板３１の前側となる縁部（図示右側の縁部）は、第２縁部として前側の開口部１５を構成するものであり、第２フラップ３２が第２フラップ折目線６６を介して連設されている。第２フラップ３２は、蓋板２３と共に後述する第１フラップ５２との間に物品収納部１２を構成する部分である。第２フラップ３２は、前側の開口部１５の一部を覆う形状であり、左右方向の幅は、前側の開口部１５の左右方向の幅よりもやや狭くしている（図５参照。）。第２フラップ３２の自由端側には後述する第４フラップ５５に係合する係合部３４が形成されている。
【００３０】
側板３１の後側となる縁部（図示左側の縁部）は、後側の開口部を構成するものであり、側板フラップ３３が側板フラップ折目線６７を介して連設されている。
【００３１】
天板４１の右側となる縁部（図示下側の縁部）には、一対の第１側板のうちの他方を構成する側板５１が側板折目線７０を介して連設されている。天板４１の前側となる縁部（図示右側の縁部）は、前側の開口部１５を構成するものであり、第３フラップ４２が第３フラップ折目線７１を介して連設されている。第３フラップ４２は、蓋板２３及び第２フラップ３２と共に後述する第１フラップ５２との間に物品収納部１２を構成する部分である。第３フラップ４２は、前側の開口部１５の一部を覆う形状であり、上下方向の幅は、前側の開口部１５の上下方向の幅よりも狭くしている（図６参照。）。本実施例では、第３フラップ４２の上下方向の幅は、開口部１５の上下方向の幅の３分の１程度としている。第３フラップ４２の天板４１側の端部には、蓋板２３に形成された前差込片４４が差し込まれる前切込部２５が形成されている。
【００３２】
天板４１の後側となる縁部（図示左側の縁部）は、後側の開口部を構成するものであり、天板フラップ４３が天板フラップ折目線７２を介して連設されている。天板フラップ４３の天板４１側の端部には、蓋板２４に形成された後差込片４５が差し込まれる後切込部２６が形成されている。
【００３３】
側板５１の前側の端部（図示右側の縁部）は、第１縁部として前側の開口部１５を構成するものであり、第１フラップ５２が第１フラップ折目線６８を介して連設されている。第１フラップ５２は、蓋板２３との間に物品収納部１２を構成する部分である。第１フラップ５２の左右方向の幅は、前側の開口部１５の左右方向の幅よりもやや広くしており、箱本体１４の内側に折り込んだ状態で、第１フラップ５２が側板５１に対向する側板３１の内側に接触するようにしている（図４参照。）。第１フラップ５２の先端側には、補助板５４が補助板折目線７３を介して連設されている。第１フラップには通気孔５６が形成される。
【００３４】
また、第１フラップ５２には、包装用箱１１を組み立てた状態において、第２縁部である側板３１の前側となる縁部側に膨出する切り込みが形成されており（図４参照。）、この切り込みによって第４フラップ５５が形成されている。第４フラップ５５は、包装用箱１１を組み立てた状態において、箱本体１４の内側に折り込まれる第１フラップ５２に対して箱本体１４の外側に向けて切り起こされ（図５参照。）、蓋板２３、第２フラップ３２及び第３フラップ４２と共に第１フラップ５２との間に物品収納部１２を構成する。また、第４フラップ５５は、第１フラップ５２と第２フラップ３２を係合する係合手段でもあり、包装用箱１１を組み立てた状態において、第２フラップ３２の自由端側に形成される係合部３４が係合することにより、第１フラップ５２と第２フラップ３２が係合する（図５参照。）。
【００３５】
側板５１の後側の端部（図示左側の縁部）は、後側の開口部を構成するものであり、側板フラップ５３が側板フラップ折目線６９を介して連設されている。
【００３６】
次に、包装用箱１１を半完成状態まで組み立てる場合について説明する。図１、図２に示すように、まず、天板折目線６５を山折して、底板２１と側板３１とを天板４１と側板５１に対して図示奥方向に折り返す。取付面折目線６２を山折し、取付面２２が側板５１の内側に重なるようにし、側板５１と取付面２２とを固定する。固定は、接着剤を用いた貼着手段や、熱溶着等の固定手段を用い、取付面２２の略全面と、側板５１とを固定する。これにより、図２に示すように、包装用箱１１は略半分に折り畳まれた半完成状態となる。本実施例に係る包装用箱１１はサック形式であり、半完成状態までの組み立てでは、折目は全て山折であり、固定する部分は、取付面２２と側板５１との間のみであるから、貼り作業を貼り機によって容易に自動化することができ、製造コストを安価とすることができる。また、半完成状態では、包装用箱１１は厚さが薄く、コンパクトであるため、運搬や保管が容易となる。
【００３７】
次に、折り畳まれた半完成状態の包装用箱１１を完成体まで組み立てる場合について説明する。図３に示すように、まだ山折されていなかった側板折目線６１と側板折目線７０とを山折して、底板２１に対して、側板３１と側板５１とを起立させことで、天板４１と、底板２１と、天板４１と底板２１に連設される一対の第１側板である側板３１と側板５１によって筒状の箱本体１４が組み立てられる。前側の開口部１５は、天板４１の前側の縁部と、底板２１の前側の縁部と、側板３１の前側の端部及びこれに対向する側板５１の前側の端部とによって構成される。後側の開口部は、天板４１の後側の縁部と、底板２１の後側の縁部と、側板３１の後側の端部及びこれに対向する側板５１の後側の端部とによって構成される。箱本体１４が筒状に形成された状態で、内部にケーキ等の収納物Ｃを収納することができる。
【００３８】
次に、物品収納部１２の組み立てについて説明する。図３において、第１フラップ折目線６８を山折するとともに、補助板折目線７３を谷折し、図４に示すように、第１フラップ５２の先端と補助板５４を第２縁部である側板３１の前側となる縁部よりも箱本体１４の内側に折り込む。この状態で、前側が開放された物品収納部１２が構成されるため、保冷体やキャンドル等の物品８１を収納する。
【００３９】
保冷体やキャンドル等の物品８１を収納した後、図４において、第４フラップ５５を第１フラップ５２に対して箱本体１４の外側に向けて切り起こす。図５に示すように、第２フラップ折目線６６を谷折し、第２フラップ３２で前側の開口部１５を覆い、第２フラップ３２に形成される係合部３４と第４フラップ５５とを係合させることにより、第１フラップ５２と第２フラップ３２とを係合させる。
【００４０】
図５において、第３フラップ折目線７１を山折し、図６に示すように、第３フラップ４２を第１フラップ５２及び第２フラップ３２に重ね、前側の開口部１５を覆うようにする。また、蓋板折目線６３を谷折し、図６に示すように、蓋板２３を第１フラップ５２、第２フラップ３２、及び第３フラップ４２に重ね、前側の開口部１５を覆うようにする。そして、蓋板２３の前差込片４４を第３フラップ４２の前切込部２５に挿入することで、包装用箱１１の前側の開口部１５が閉塞される。この状態において、物品収納部１２の水平方向の断面形状は、略直角三角形状となっている。
【００４１】
後側の開口部の閉塞は、図３において、側板フラップ折目線６９を山折して側板フラップ５３で後側の開口部を覆い、側板フラップ折目線６７（図示せず）を谷折して側板フラップ３３（図示せず）で後側の開口部を覆い、天板フラップ折目線７２を山折し、天板フラップ４３を側板フラップ３３及び側板フラップ５３に重ね、後側の開口部を覆うようにする。続いて、蓋板折目線６４（図示せず）を谷折し、図６に示すように、蓋板２４を側板フラップ３３、側板フラップ５３、及び天板フラップ４３に重ね、後側の開口部を覆うようにする。そして、蓋板２４の後差込片４５を天板フラップ４３の後切込部２６に挿入することで、包装用箱１１の後側の開口部が閉塞される。
【００４２】
以上説明した実施例１に係る包装用箱１１によれば、物品収納部１２を構成する第１フラップ５２を第１側板の第１縁部としての側板５１の縁部に設けたので、物品収納部１２から物品８１を取り出し、更に箱本体１４からケーキ等の収納物Ｃを取り出す際、第１フラップ５２が下方に垂れることがない。また、蓋板２３を底板２１の縁部に連設しているため、蓋板２３が下方に垂れることもない。このため、図７に示すように、箱本体１４からケーキ等の収納物Ｃを取り出す際、物品収納部１２を構成する第１フラップ５２や蓋板２３がケーキ等の収納物に接触して破損させることを防止できる。
【００４３】
第１側板の第２縁部としての側板３１の縁部に第２フラップ３２を設けたため、前側の開口部１５と蓋板２３との間にある物品収納部１２の隙間を減少させることができる。このため、物品収納部１２の隙間から物品８１が不用意に脱落することを防止できる。
【００４４】
天板４１の縁部に第３フラップ４２を設けたため、前側の開口部１５と蓋板２３との間にある物品収納部１２の隙間を減少させることができる。このため、物品収納部１２の隙間から物品８１が不用意に脱落することを防止できる。また、第３フラップ４２は開口部１５の一部を覆う大きさとし、開口部１５よりも小さくしたため、箱本体１４からケーキ等の収納物Ｃを取り出す際、図７に示すように、第３フラップ４２がケーキ等の収納物Ｃに接触し難い。このため、ケーキ等の収納物Ｃの破損を防止できる。
【００４５】
第１フラップ５２に第４フラップ５５を設け、第４フラップ５５は第１側板の第２縁部としての側板３１の縁部側に膨出する切り込みによって形成されるため、第４フラップ５５が物品収納部１２に収納された物品８１を支持することができる。このため、蓋板２３を開放した際に、物品収納部１２に収納された物品８１が不用意に脱落することを防止できる。また、前側の開口部１５と蓋板２３との間にある物品収納部１２の隙間から物品８１が不用意に脱落することを防止できる。
【００４６】
第４フラップ５５は、第１フラップ５２と第２フラップ３２とを係合させる係合手段も兼ねており、第１フラップ５２と第２フラップ３２とが係合しているため、物品収納部１２が不用意に開放されることがない。このため、物品収納部１２に収納された物品８１が不用意に脱落することを防止できる。
【００４７】
第１フラップ５２に通気孔５６を設けたため、物品収納部１２に保冷材を収納した場合に、箱本体１４内部に冷気を行き渡らせやすくすることができる。
【００４８】
以上、本考案の実施の形態について説明したが、本考案は上記実施の形態に限定されるものではなく、更に様々な変更が可能である。例えば、第１フラップ５２の他に第２フラップ３２、第３フラップ４２、第４フラップ５５を設けたが、第２フラップ３２、第３フラップ４２、第４フラップ５５のうちの１又は２のフラップを選択して設けてもよい。また、第２フラップ３２、第３フラップ４２、第４フラップ５５を設けず、第１フラップ５２と蓋板２３のみによって物品収納部１２を構成してもよい。
【００４９】
第４フラップ５５は、第１フラップ５２に側板３１の縁部側（図４において右側）に膨出する切り込みを入れることによって形成したが、これに限定されない。例えば、第１フラップ５２の上縁付近に、底板２１側（図４において下側）に膨出する切り込みを入れることにより形成してもよく、あるいは第１フラップ５２の下縁付近に、天板４１側（図４において上側）に膨出する切り込みを入れることにより形成してもよい。第４フラップ５５をこのような形状にした場合にも、第４フラップが物品収納部に収納された物品を支持することができる。
【００５０】
第１フラップ５２と第２フラップ３２とを係合させたが、これに限定されず、各フラップ及び蓋板２３から選択される少なくとも２つを係合させてもよい。例えば、係合手段として第２フラップ３２に切り込みを形成し、第２フラップ３２と第３フラップ４２とを係合させてもよい。また、各フラップ及び蓋板２３を必ずしも係合させなくてもよい。
【００５１】
第１フラップ５２の先端に補助板５４を連設したが、補助板５４を側板５１と第１フラップ５２の間に介設してもよい。また、第１フラップ５２の両端に補助板５４を設けてもよい。第１フラップ５２の両端に補助板５４を設けた場合、物品収納部１２の水平方向の断面形状は、略長方形となる。また、補助板５４を設けなくてもよい。
【符号の説明】
【００５２】
１１    包装用箱
１２    物品収納部
１３    箱展開形成体
１４    箱本体
１５    開口部
２１    底板
２２    取付面
２３    蓋板
２４    蓋板
２５    前切込部
２６    後切込部
３１    側板
３２    第２フラップ
３３    側板フラップ
３４    係合部
４１    天板
４２    第３フラップ
４３    天板フラップ
４４    前差込片
４５    後差込片
５１    側板
５２    第１フラップ
５３    側板フラップ
５４    補助板
５５    第４フラップ
５６    通気孔
６１    側板折目線
６２    取付面折目線
６３    蓋板折目線
６４    蓋板折目線
６５    天板折目線
６６    第２フラップ折目線
６７    側板フラップ折目線
６８    第１フラップ折目線
６９    側板フラップ折目線
７０    側板折目線
７１    第３フラップ折目線
７２    天板フラップ折目線
７３    補助板折目線
Ｃ      収納物
８１    物品
【図１】
0003165021.tif 000003
【図２】
0003165021.tif 000004
【図３】
0003165021.tif 000005
【図４】
0003165021.tif 000006
【図５】
0003165021.tif 000007
【図６】
0003165021.tif 000008
【図７】
0003165021.tif 000009